(57)【要約】【課題】携帯通信端末の二次電池の満充電による劣化防止可能な「情報処理装置」及び「情報処理装置における処理方法」の提供。【解決手段】携帯通信端末と有線回線により通信及び充電用電力供給を行う情報処理装置で、二次電池の電池残量を携帯通信端末から取得する電池残量情報取得手段（Ｓ１５）、電池残量値と上限値又は下限値とを比較判定する電池残量判定手段（Ｓ１６）、有線回線の通電又は遮断を行う有線回線通電制御手段を備え、電池残量判定手段が電池残量値が上限値以上と判定の場合に有線回線通電制御手段が有線回線の通電を遮断し（Ｓ１９）、電池残量判定手段が電池残量値が上限値より小さいと判定の場合に有線回線通電制御手段が有線回線を通電の状態にし（Ｓ１７）、所定時間経過後に電池残量情報取得手段が電池残量情報取得し電池残量判定手段が電池残量値と上限値の比較判定を行う。【選択図】図２Ａ
2015144519.tif 000002
【特許請求の範囲】
【請求項１】
携帯通信端末との有線回線による接続により、前記携帯通信端末との通信及び充電用の電力供給を行う情報処理装置であって、
前記携帯通信端末に搭載される二次電池の電池残量情報を前記有線回線を通じて前記携帯通信端末から取得し、前記情報処理装置の記憶手段に格納する電池残量情報取得手段と、
前記記憶手段に格納された前記電池残量情報から求めた電池残量の値と、予め定めた電池残量の所定の上限値又は下限値とを比較判定する電池残量判定手段と、
前記有線回線の通電又は該通電の遮断を行う有線回線通電制御手段とを備え、
前記電池残量判定手段が前記電池残量の値が所定の上限値以上であると判定した場合には、前記有線回線通電制御手段は前記有線回線による通電を遮断し、
前記電池残量判定手段が前記電池残量の値が所定の上限値より小さいと判定した場合には、前記有線回線通電制御手段は前記有線回線を通電の状態とし、更に所定時間経過後に前記電池残量情報取得手段は前記携帯通信端末から前記電池残量情報を取得して前記記憶手段へ格納すると共に、前記残量判定手段は前記記憶手段に格納された前記電池残量情報から求めた電池残量の値と予め定めた電池残量の所定の上限値との比較判定を行い、前記有線回線制御手段は前記判定結果に基づいて前記有線回線の通電又は該通電の遮断を行うことを特徴とする情報処理装置。
【請求項２】
前記携帯通信端末と無線回線による通信を行う通信手段を備え、
前記有線回線通電制御手段により前記有線回線の通電が遮断されたときに、前記電池残量情報取得手段には、前記無線回線により前記通信手段を介して前記電池残量情報を前記携帯通信端末から取得して前記記憶手段に格納すると共に、前記電池残量判定手段は前記記憶手段に格納された前記電池残量情報から求めた電池残量の値と所定の下限値とを比較判定し、
前記電池残量判定手段が前記電池残量の値が所定の下限値以下であると判定した場合には、前記有線回線制御手段は、前記無線回線に換えて前記携帯通信端末との有線回線を通電の状態として、前記携帯通信端末との通信及び充電用の電力の供給を開始させ、
前記電池残量判定手段が前記電池残量の値が所定の下限値より大きいと判定した場合には、所定時間経過後に前記無線回線により前記電池残量情報取得手段は前記電池残量情報を取得して前記記憶手段へ格納すると共に、前記電池残量判定手段は前記記憶手段に格納された前記電池残量情報から求めた電池残量の値と予め定めた電池残量の所定下限値との比較判定を行い、前記有線回線制御手段は前記判定結果に基づいて前記有線回線の通電又は該通電の遮断の維持を行うことを特徴とする請求項１に記載の情報処理装置。
【請求項３】
前記有線回線通電制御手段により前記無線回線に換えて前記携帯通信端末との有線回線が通電の状態とされ、前記携帯通信端末との通信及び充電用の電力の供給が開始された後は、所定時間経過後に前記電池残量情報取得手段は前記電池残量情報を取得して前記記憶手段へ格納し、前記電池残量判定手段は前記記憶手段に格納された前記電池残量情報から求めた電池残量の値と予め定めた電池残量の所定の上限値との比較判定を行い、前記有線回線制御手段は前記判定結果に基づいて前記有線回線の通電又は該通電の遮断を行うことを特徴とする請求項２に記載の情報処理装置。
【請求項４】
更に画像を表示する表示手段を備え、前記電池残量判定手段は、前記電池残量の値を前記表示手段に表示することを特徴とする請求項１ないし３の何れか一項に記載の情報処理装置。
【請求項５】
前記電池残量判定手段は、前記電池残量の値と前記上限値又は前記下限値との比較判定を行なう毎に、前記表示手段に表示する電池残量の値を更新することを特徴とする請求項４に記載の情報処理装置。
【請求項６】
携帯通信端末との有線回線による接続により、前記携帯通信端末との通信及び充電用の電力供給を行う情報処理装置における処理方法であって、
前記携帯通信端末に搭載される二次電池の電池残量情報を前記有線回線を通じて前記携帯通信端末から取得し、前記情報処理装置の記憶手段に格納する電池残量情報取得ステップと、
前記記憶手段に格納された前記電池残量情報から求めた電池残量の値と、予め定めた電池残量の所定の上限値又は下限値とを比較判定する電池残量判定ステップと、
前記有線回線の通電又は該通電の遮断を行う有線回線通電制御ステップとを有し、
前記電池残量判定ステップで前記電池残量の値が所定の上限値以上であると判定した場合には、前記有線回線通電制御ステップにおいて前記有線回線による通電を遮断し、
前記電池残量判定ステップで前記電池残量の値が所定の上限値より小さいと判定した場合には、前記有線回線通電制御ステップにおいて前記有線回線を通電の状態とし、更に所定時間経過後に前記電池残量情報取得ステップで前記携帯通信端末から前記電池残量情報を取得して前記記憶手段へ格納すると共に、前記残量判定ステップにおいて前記記憶手段に格納された前記電池残量情報から求めた電池残量の値と予め定めた電池残量の所定の上限値との比較判定を行い、前記有線回線制御ステップにおいて前記判定結果に基づいて前記有線回線の通電又は該通電の遮断を行うことを特徴とする情報処理装置における処理方法。
【発明の詳細な説明】
【技術分野】
【０００１】
本発明は、有線回線により接続された携帯通信端末の二次電池の電池残量を検出し、供給する充電用の電力を制御する情報処理装置及び情報処理装置における処理方法に関する。
【背景技術】
【０００２】
携帯電話、スマートフォン等の携帯通信端末では、搭載されるリチウムイオン電池等の二次電池への充電について、交流電源からのＡＣアダプタを介して行う他に、パーソナルコンピュータ（以下「ＰＣ」と略称する。）、放送受信装置又は車載ナビゲーション装置等の情報処理装置に設けたＵＳＢ（Universal Serial Bus）端子からＵＳＢケーブルを介しても行われている。上記ＵＳＢケーブルを介した充電を短時間で効率よく行うために、充電電流を携帯通信端末の許容電流値まで上昇させて充電する充電制御方法が提案されている（例えば、特許文献１参照）。
【０００３】
特許文献１に記載される上記充電制御方法のように、携帯通信端末の二次電池の充電は、携帯通信端末の充電制御装置等により充電量をいわゆる満充電（本明細書において「満充電」とは、二次電池の最大充電容量まで充電された状態をいう。）の状態に維持される場合が多い。特に、スマートフォン等のような、多機能化に伴い消費電力が増大傾向にある携帯通信端末では、短時間での電池切れの状態を避けるために二次電池を満充電にする要望が高まり、充電完了後も電源との電気的接続が継続されている場合には、二次電池が満充電の状態を維持するように制御される場合が多い。
【先行技術文献】
【特許文献】
【０００４】
【特許文献１】特開２０１２−２４４８４７号公報
【発明の概要】
【発明が解決しようとする課題】
【０００５】
しかしながら、一般に二次電池が満充電の状態に長時間維持されると、電池容量の上限が減少する等の二次電池の劣化が起こり、さらに電池寿命の短縮を招くおそれがある。例えば、リチウムイオンの二次電池では、多数のリチウムイオンが負極のグラファイト層に集中することから金属リチウムが析出し、二次電池の劣化、損傷を招くおそれがある。
【０００６】
本発明は、このような事情に鑑みてなされたもので、有線回線により接続された携帯通信端末等の二次電池への充電による劣化の防止を可能とする、情報処理装置及び情報処理装置における処理方法の提供を目的とするものである。
【課題を解決するための手段】
【０００７】
上記課題を解決するために本発明に係る情報処理装置は、携帯通信端末との有線回線による接続により、前記携帯通信端末との通信及び充電用の電力供給を行う情報処理装置であって、前記携帯通信端末に搭載される二次電池の電池残量情報を前記有線回線を通じて前記携帯通信端末から取得し、前記情報処理装置の記憶手段に格納する電池残量情報取得手段と、前記記憶手段に格納された前記電池残量情報から求めた電池残量の値と、予め定めた電池残量の所定の上限値又は下限値とを比較判定する電池残量判定手段と、前記有線回線の通電又は該通電の遮断を行う有線回線通電制御手段と、を備え、前記電池残量判定手段が前記電池残量の値が所定の上限値以上であると判定した場合には、前記有線回線通電制御手段は前記有線回線による通電を遮断し、前記電池残量判定手段が前記電池残量の値が所定の上限値より小さいと判定した場合には、前記有線回線通電制御手段は前記有線回線を通電の状態とし、更に所定時間経過後に前記電池残量情報取得手段は前記携帯通信端末から前記電池残量情報を取得して前記記憶手段へ格納すると共に、前記残量判定手段は前記記憶手段に格納された前記電池残量情報から求めた電池残量の値と予め定めた電池残量の所定の上限値との比較判定を行い、前記有線回線制御手段は前記判定結果に基づいて前記有線回線の通電又は該通電の遮断を行う構成となる。
【０００８】
このような構成によれば、充電用電力を供給する側である情報処理装置が、携帯通信端末に搭載される二次電池の電池残量が所定の上限値より小さいときには、有線回線を通電の状態にして充電を行い、電池残量が所定の上限値以上であると判定した場合には、充電用の電力を供給する有線回線の通電が遮断されるので、有線回線の接続を維持しつつも充電用の電力供給はされず、満充電の状態は維持されないので、二次電池の劣化、損傷の防止が可能である。なお、通信携帯端末とは通信及び充電用の電力供給を行う有線回線の通電を遮断するので、例えば、携帯通信端末において情報処理装置から引き続き電力供給させて満充電を維持する機能を有していても、満充電を維持するための充電用の電力の供給が確実に遮断される。
【０００９】
また、電池残量の値が所定の上限値より小さいと判定した場合には、有線回線通電制御部は、有線回線による前記携帯通信端末との通信及び充電用の電力を供給を行うので、二次電池の充電が行われる。そして、充電中も電池残量情報取得部は有線回線を通じて二次電池の電池残量情報を取得して、電池残量判定部が電池残量の値と上限値とを比較判定し、上限値以上となったときは上述したように、充電用の電力を供給する有線回線の通電が遮断されるので、満充電による二次電池の劣化、損傷を防止できる。
【００１０】
電池残量情報取得部による電池残量情報の取得は、充電中も予め設定された所定の時間間隔で行われるが、この所定の時間間隔については電池残量の増減量と時間との関係を考慮して設定されるが、必要に応じて適切な時間間隔に適宜変更することができる。
【００１１】
また、本発明に係る情報処理装置は、前記携帯通信端末と無線回線による通信を行う通信手段を備え、前記有線回線通電制御手段により前記有線回線の通電が遮断されたときに、前記電池残量情報取得手段には、前記無線回線により前記通信手段を介して前記電池残量情報を前記携帯通信端末から取得して前記記憶手段に格納すると共に、前記電池残量判定手段は前記記憶手段に格納された前記電池残量情報から求めた電池残量の値と所定の下限値とを比較判定し、前記電池残量判定手段が前記電池残量の値が所定の下限値以下であると判定した場合には、前記有線回線制御手段は、前記無線回線に換えて前記携帯通信端末との有線回線を通電の状態として、前記携帯通信端末との通信及び充電用の電力の供給を開始させ、前記電池残量判定手段が前記電池残量の値が所定の下限値より大きいと判定した場合には、所定時間経過後に前記無線回線により前記電池残量情報取得手段は前記電池残量情報を取得して前記記憶手段へ格納すると共に、前記電池残量判定手段は前記記憶手段に格納された前記電池残量情報から求めた電池残量の値と予め定めた電池残量の所定下限値との比較判定を行い、前記有線回線制御手段は前記判定結果に基づいて前記有線回線の通電又は該通電の遮断の維持を行う構成とすることができる。
【００１２】
このような構成によれば、有線回線との通電を遮断した場合でも、情報処理装置と携帯通信端末とが無線回線を通じて、携帯通信端末の二次電池の電池残量情報を継続して取得するので、電池残量の判定が可能となる。
【００１３】
さらに、前記電池残量の値が所定の下限値以下であると判定した場合には、前記無線回線に換えて、前記有線回線通電制御部により前記携帯通信端末との有線回線が通電の状態とされ、前記携帯通信端末との通信及び充電用の電力の供給が開始されるので、携帯通信端末の二次電池の電池残量は所定の下限値を超えた状態を維持するようにすることができる。
【００１４】
さらに、本発明に係る情報処理装置は、前記有線回線通電制御手段により前記無線回線に換えて前記携帯通信端末との有線回線が通電の状態とされ、前記携帯通信端末との通信及び充電用の電力の供給が開始された後は、所定時間経過後に前記電池残量情報取得手段は前記電池残量情報を取得して前記記憶手段へ格納し、前記電池残量判定手段は前記記憶手段に格納された前記電池残量情報から求めた電池残量の値と予め定めた電池残量の所定の上限値との比較判定を行い、前記有線回線制御手段は前記判定結果に基づいて前記有線回線の通電又は該通電の遮断を行う構成とすることができる。
【００１５】
このような構成によれば、充電用の電力供給が開始された後も、二次電池の電池残量情報の取得と、電池残量の値と上限値との比較判定を繰り返し、有線回線通電制御手段は前記判定結果に基づいて前記有線回線の通電又は該通電の遮断を行うので、二次電池が満充電の状態となることを回避できる。
【００１６】
さらに、本発明に係る情報処理装置は、更に画像を表示する表示手段を備え、前記電池残量判定手段は、前記電池残量の値を前記表示手段に表示する構成とすることができる。
【００１７】
こうような構成とすることで、携帯情報端末の電池残量の値を情報処理装置の表示手段に表示するので、使用者が電池残量の値を情報処理装置で確認できる。
【００１８】
さらに、本発明に係る情報処理装置は、前記電池残量判定手段は、前記電池残量の値と前記上限値又は前記下限値との比較判定を行なう毎に、前記表示手段に表示する電池残量の値を更新する構成とすることができる。
【００１９】
このような構成とすることで、電池残量判定手段による比較判定を行なう毎に、表示手段に表示される電池残量の値が更新されるので、使用者は最新の電池残量の値を視認することができる。
【００２０】
なお、前記情報処理装置としては、ＡＶ・ナビゲーション機器等の車載機器、ＰＣ機器、ＴＶ機器、ＡＶ機器等が該当するが、これらに限定するものではない。また携帯通信端末としては、携帯電話、スマートフォン、ＰＤＡ（Personal Digital Assistant）及びハンディパソコン等の二次電池を搭載したものが該当する。
【００２１】
本発明に係る情報処理装置における処理方法は、携帯通信端末との有線回線による接続により、前記携帯通信端末との通信及び充電用の電力供給を行う情報処理装置における処理方法であって、前記携帯通信端末に搭載される二次電池の電池残量情報を前記有線回線を通じて前記携帯通信端末から取得し、前記情報処理装置の記憶手段に格納する電池残量情報取得ステップと、前記記憶手段に格納された前記電池残量情報から求めた電池残量の値と、予め定めた電池残量の所定の上限値又は下限値とを比較判定する電池残量判定ステップと、前記有線回線の通電又は該通電の遮断を行う有線回線通電制御ステップとを有し、
前記電池残量判定ステップで前記電池残量の値が所定の上限値以上であると判定した場合には、前記有線回線通電制御ステップにおいて前記有線回線による通電を遮断し、前記電池残量判定ステップで前記電池残量の値が所定の上限値より小さいと判定した場合には、前記有線回線通電制御ステップにおいて前記有線回線を通電の状態とし、更に所定時間経過後に前記電池残量情報取得ステップで前記携帯通信端末から前記電池残量情報を取得して前記記憶手段へ格納すると共に、前記残量判定ステップにおいて前記記憶手段に格納された前記電池残量情報から求めた電池残量の値と予め定めた電池残量の所定の上限値との比較判定を行い、前記有線回線制御ステップにおいて前記判定結果に基づいて前記有線回線の通電又は該通電の遮断を行う構成となる。
【発明の効果】
【００２２】
本発明に係る情報処理装置及び情報処理装置における処理方法によれば、携帯通信端末の二次電池の電池残量の値が所定の上限値以上となったときに、通信及び充電用の電力供給を行う有線回線との通電を遮断し、電力供給を停止するので、満充電による二次電池の劣化、損傷を防止することができる。
【００２３】
さらに、本発明に係る情報処理装置及び情報処理装置における処理方法によれば、有線回線の通電を遮断した後に、無線通信により二次電池の電池残量情報を取得し、充電停止後に電池残量が所定の下限値以下となったときに、有線回線を通電状態にして通信及び充電用の電力を供給するので、携帯通信端末の二次電池の電池残量は所定の下限値と上限値との間になるように充電されるので、携帯通信端末の利便性を損なうことがない。携帯通信端末は情報処理装置と有線回線を接続した状態を維持したままでも、電池寿命の低下を防止することができる。
【図面の簡単な説明】
【００２４】
【図１】図１は情報処理装置である車載機器及びこの車載機器にＵＳＢケーブルで接続されるスマートフォンのブロック構成図である。
【図２Ａ】図２Ａは、情報処理装置である車載機器によるスマートフォンの二次電池への充電用電力の供給制御に係る処理手順を示すフローチャート（その１）である。
【図２Ｂ】図２Ｂは、情報処理装置である車載機器によるスマートフォンの二次電池への充電用電力の供給制御に係る処理手順を示すフローチャート（その２）である。
【図３Ａ】図３Ａは、情報処理装置である車載機器と接続されたスマートフォンの二次電池の電池残量を経過時間との関係で示したグラフ図である。
【図３Ｂ】図３Ｂは、情報処理装置である車載機器と接続されたスマートフォンの二次電池の電池残量を経過時間との関係で示したグラフ図である。
【発明を実施するための形態】
【００２５】
以下、本発明の実施の形態について図面を用いて説明する。
【００２６】
本発明の実施の形態に係る情報処理装置としての車載機器１００は、図１に示すように構成される。
【００２７】
図１において、車載機器１００（情報処理装置）は、外部機器接続用のＵＳＢ（Universal Serial Bus）端子１２を有しており、このＵＳＢ端子に挿着するコネクタ１３（１３ａ、１３ｂ）を両端に備えたＵＳＢケーブル１５を介して、スマートフォン１７（携帯通信端末）が接続されている。さらに、車載機器１００は、情報の処理及び演算、並びに各接続機器の制御等を行うコンピュータユニット（例えば、ＣＰＵ、ＭＰＵ）によって構成される処理ユニット１９を有する。処理ユニット１９には、各種音源及び映像源（例えば、ＣＤ及びＤＶＤ）の再生処理が可能なＡＶユニット２１及び自車両のナビゲーションが可能なナビゲーションユニット２２が接続されている。また、処理ユニット１９には、スピーカ２３と接続される出力回路２５が接続されている。これによって、ＡＶユニット２１及びナビゲーションユニット２２による処理に係る音声信号を出力回路２５を介してスピーカ２３から出力することが可能となっている。加えて、処理ユニット１９には、ＡＶユニット２１及びナビゲーションユニット２２において利用する楽曲情報及び地図情報等の各種情報、さらに後述するスマートフォン１７から取得する電池残量情報から電池残量の値を算出するアプリケーションプログラム、電池残量の値と所定の上限値、下限値と比較判定するアプリケーションプログラム等を記憶する記憶部２６（記憶手段：例えば、ハードディスク）と、ＬＣＤ等によって構成される各種処理に伴う映像等を表示する表示部２７（表示手段）と、表示部２７上にタッチパネル形式にて形成される各種処理に必要な指示が入力可能な操作部２８とが接続されている。
【００２８】
更に、処理ユニット１９には、スマートフォン１７等と無線通信２０（例えば、ＷｉＦｉ等の無線ＬＡＮ通信）を行う無線通信機能を備える通信部３０（通信手段）が接続されている。更に加えて、処理ユニット１９には、スマートフォン１７に搭載される二次電池３１への充電用電力を供給する充電用電力供給回路である、充電電力供給部３２が接続されている。充電用電力供給部３２は、処理ユニット１９の制御の下、自車両に搭載されるバッテリー等の車両電源３３から供給された電力を、充電用電力に変圧（例えば、５Ｖに変圧）して、ＵＳＢ接続端子１２の電力供給用の端子（ＶＢＵＳ端子、ＧＮＤ端子）からＵＳＢケーブル１５を通じてスマートフォン１７の二次電池３１に供給する機能を有する。
【００２９】
また、車載機器１００は、両端にコネクタ１３ａ、１３ｂを備えたＵＳＢケーブル１５によってスマートフォン１７（携帯通信端末）と接続されており、具体的には車載機器１００のＩ／ＦであるＵＳＢ端子１２にコネクタ１３ａが挿着され、さらにスマートフォン１７のＩ／Ｆである接続端子３３にコネクタ１３ｂが挿着されることで電気的に接続されている。ＵＳＢケーブル１５は、処理ユニット１９とスマートフォン１７との間でデータ通信信号の送受信用の２ラインと、充電電力供給部３２からスマートフォン１７の二次電池３１への充電用電力供給用の２ラインの、合計４ラインを有する有線回路である。ＵＳＢ端子１２は、ＵＳＢケーブル１５の上記した４ラインに対応した端子であり、通信用の端子（Ｄ＋端子、Ｄ−端子）及び電力供給用の端子（ＶＢＵＳ端子、ＧＮＤ端子）を有し、これにＵＳＢケーブル１５の一端に装着されたコネクタ１３ａが着脱可能に挿着される。
【００３０】
処理ユニット１９は、所定のコンピュータプログラムを実行することで、スマートフォン１７から二次電池３１の電池残量情報をＵＳＢケーブル１５によるＵＳＢ回線を通じて取得し、記憶部２６に格納する機能を有する（電池残量取得手段）。また、後述するように満充電の状態に至り、ＵＳＢ回線による通電が遮断されたときには、処理ユニット１９は、所定のコンピュータプログラムを実行することで、通信部３０と、スマートフォン１７との間で無線通信を介して二次電池３１の電池残量情報を取得して記憶部２６に格納する（電池残量取得手段）。
【００３１】
さらに、処理ユニット１９は、所定のコンピュータプログラムを実行することで、記憶部２６に格納された電池残量情報から求めた二次電池３１の電池残量の値と、予め定められた電池残量の上限値及び下限値との比較判定を行う（電池残量判定手段）。処理ユニット１９は、比較判定に先立ち、記憶部２６に格納された電池残量情報に含まれる電圧値、電流値（充電電流値、放電電流値）等の測定値に基づいて、二次電池の種類等に応じた電池残量算出プログラムの実行により、比較判定の対象としての電池残量を０〜１００％の数値として算出する機能を有する。
【００３２】
処理ユニット１９による比較判定の基準となる、電池残量の上限値及び下限値は、二次電池３１の種類等に応じて最適な数値として予め定められ、記憶部２６に格納されているが、使用者の所望に応じて操作部２８等からの設定操作により変更することが可能である。本実施形態では、図３Ａ、図３Ｂに示すように、満充電を１００％としたとき、電池残量の上限値を９５（％）、下限値を８５％に設定している。電池残量情報に含まれる電池残量の値と上限値、下限値との比較判定の具体的な手順は後述する。
【００３３】
さらに、処理ユニット１９は、所定のコンピュータプログラムを実行することで、ＵＳＢ回線を通じてのスマートフォン１７との通信と充電用電力供給とを含む通電の制御及び通電の遮断を行なう（有線回線通電制御手段）。
【００３４】
スマートフォン１７は主として、通信部３５、処理部３６、充電制御部３７、二次電池３１を有し、これらは相互通信が可能となるようにデータ交信用の経路により接続されており、さらに充電制御部３７と二次電池３１とは電力供給線により接続されている。また、充電制御部３７及び処理部３６は接続端子３３に接続されており、接続端子３３にはＵＳＢケーブル１５の端部に装着されたコネクタ１３ｂが挿着され、スマートフォン１７と車載機器１００とがＵＳＢケーブル１５で接続される。
【００３５】
通信部３５は、スマートフォンとしての主たる機能である、基地局を介したデータ通信及び音声通信を行う機能と、車載機器１００と無線通信２０（例えば、ＷｉＦｉ等の無線ＬＡＮ通信）を行う無線通信を行う機能とを備える。処理部３６は、スマートフォン１７を構成する各構成部を制御する機能と、各種データを基にした数値等の演算を行う機能とを有するもので、所定のＯＳ、アプリーケーション等のコンピュータプログラムに作動するＣＰＵ等が相当する。
【００３６】
充電制御部３７は、二次電池３１の電圧値、電流値（充電電流値、放電電流値）の測定を行い、測定された電圧値、電流値、及びこれらに基づいて算出する二次電池の電池残量を含めて電池残量情報として作成する機能と、車載機器１００から供給される充電用電力を二次電池に供給制御する機能とを有し、電流値、電圧値等の測定装置と、この測定装置に対応する電気回路と充電用電力供給回路等とで構成される。
【００３７】
二次電池３１は、スマートフォン１７に着脱可能に装着された、例えばリチウムイオン電池、ニッケル水素電池等の電池セルである。上述したように、二次電池は使用の利便性から満充電とする傾向にあるが、満充電の状態が継続されると電池の機能が劣化する等の問題が生じる可能性がある。
【００３８】
以下、本発明の実施の形態に係る情報処理装置としての車載機器１００の動作は、図２Ａ、図２Ｂに示す手順によって行なわれる。
【００３９】
図２Ａにおいて、車載機器１００の処理ユニット１９は、ＵＳＢケーブル１５を介してスマートフォン１７が接続されたか否かを確認する（Ｓ１１）。そしてスマートフォン１７についてＵＳＢケーブル１５を介する接続が確認されると、処理ユニット１９は、スマートフォン１７と車載機器１００とが無線回線による無線通信が可能であるか否かを判定する（Ｓ１２）。具体的には、車載機器１００の通信部３０とスマートフォン１７の通信部３５との間で無線通信（例えば、ＷｉＦｉ等の無線ＬＡＮ通信）が可能であるか否かを、処理ユニット１９がスマートフォン１７の機器情報から判定する。これは、ＵＳＢ回線の通電の遮断後、無線回線によりスマートフォン１７との通信の確保ができるか否かを確認するためである。
【００４０】
処理ユニット１９がスマートフォン１７との無線通信が不可能と判定したときは（Ｓ１２でＮＯ）、本実施形態に係る情報処理装置である車載機器１００による充電電力の供給制御はされずに、図２Ｂに示すように、処理ユニット１９は充電電力供給部３２によりＵＳＢケーブル１５を介してスマートフォン１７の二次電池３１に充電電力を供給を開始する（Ｓ１３）。この場合、従来どおりの充電方式であり、ＵＳＢ回線による接続を維持すると充電が続行され（Ｓ１４のＹＥＳ）、ＵＳＢケーブル１５を取り外すことで、ＵＳＢ回線による接続を解除すると（Ｓ１４のＹＥＳ）、充電は終了する。
【００４１】
処理ユニット１９がスマートフォン１７との無線通信が可能であると判定したときは（Ｓ１２のＹＥＳ）、さらに処理ユニット１９は、スマートフォン１７から二次電池３１の電池残量情報をＵＳＢ回線を介して取得し、記憶部２６（記憶手段）に格納する（Ｓ１５：電池残量情報取得手段）。電池残量情報の取得に際しては、処理ユニット１９がスマートフォン１７に対して電池残量情報の送信を依頼する通信を行い、スマートフォン１７からの電池残量情報の送信により、処理ユニット１９は電池残量情報を取得することができる。電池残量情報は、上述したように、スマートフォン１７に搭載される二次電池３１の電池残量に関する情報で、スマートフォン１７の充電制御部３７に含まれる電流計、電圧計等の機能を有する各センサにより測定された電圧値、電流値（充電電流値、放電電流値）等の情報である。
【００４２】
電池残量情報が記憶部２６に格納されると、次に処理ユニット１９は、記憶部２６に格納された電池残量情報に含まれる電圧値、電流値（充電電流値、放電電流値）に基づいて電池残量の値を算出し、電池残量の値が予め定めた上限値以上であるか否かを比較判定する（Ｓ１６：電池残量判定手段）。
【００４３】
電池残量の値は、満充電のときの電池残量を１００％として、電池残量を０〜１００％間の数値として算出された値であり、処理ユニット１９が記憶部２６に格納された電池残量情報に含まれる電圧値、電流値（充電電流値、放電電流値）に基づいて、電池残量算出用プログラムを実行して電池残量の値を算出する。処理ユニット１９は、算出された電池残量の値を車載機器１００の表示部２７に表示し、さらに電池残量情報を取得する毎に電池残量の値を算出して表示部２７の表示を更新する。上述した所定の上限値については、満充電の電池残量１００％に対して、図３Ａ、図３Ｂに示すように、例えば９５％の値とすることができる。なお、上限値の値は使用者の用途等に応じて変更することが可能である。
【００４４】
処理ユニット１９が電池残量の値が所定の上限値より小さいと判定した場合には（Ｓ１６でＮＯ）、処理ユニット１９はＵＳＢ回線（ＵＳＢケーブル１５）を通電状態に維持して（有線回線通電制御手段）、充電電力供給部３２によりＵＳＢ回線を通じてスマートフォン１７の二次電池３１に充電用電力を供給する（Ｓ１７）。これは、図３Ａに示すように、車載機器１００にスマートフォン１７がＵＳＢケーブル１５を介して接続されたときに（時間Ｔ＝０）、二次電池３１の電池残量の値が４０％で、所定の上限値９５％より小さい場合に該当するので二次電池３１の充電が開始される。充電中に、使用者がスマートフォン１７と車載機器１００とのＵＳＢ回線による接続を解除する場合は充電電力の供給が終了し、車載機器１００による充電電力の供給制御も終了する（Ｓ１８のＹＥＳ）。ＵＳＢ回線との接続を続行するときは充電電力の供給は継続する（Ｓ１８のＮＯ）。
【００４５】
ＵＳＢ回線との接続が継続する場合には（Ｓ１８のＮＯ）、再度、処理ユニット１９は所定時間経過後に電池残量情報をスマートフォン１７から取得して記憶部２６に格納し（Ｓ１５）、電池残量情報に含まれる電圧値、電流値（充電電流値、放電電流値）に基づいて、電池残量算出用プログラムを実行して電池残量の値を算出し、所定の上限値との比較判定を繰り返し行う（Ｓ１６）。このような充電が継続される場合としては、図３ＡのＴが、０〜Ｔ１、Ｔ２〜Ｔ３、図３ＢのＴが、Ｔ５〜Ｔ６、Ｔ７〜Ｔ８の範囲である場合が相当する。
【００４６】
スマートフォン１７が車載機器１００にＵＳＢ回線により接続されたときに、電池残量の値が所定の上限値以上である場合には（例えば、図３Ｂに示すＴ＝０で電池残量が９８％の場合）、処理ユニット１９はＵＳＢ回線による通電を遮断して、スマートフォン１７との通信及び充電用電力の供給を停止すると共に、通信部３０によりスマートフォン１７の通信部３５との無線通信を開始する（Ｓ１９：有線回線通電制御手段）。また、電池残量の値が上限値より小さいとして充電用電力が供給された後の比較判定で、電池残量が上限値以上のときも（例えば、図３ＡのＴ＝Ｔ１、Ｔ３、図３ＢのＴ＝Ｔ６、Ｔ８のときの電池残量の場合）、処理ユニット１９はＵＳＢ回線による通電を遮断して、スマートフォン１７との通信及び充電用電力の供給を停止すると共に、通信部３０によりスマートフォン１７との無線通信を開始する（Ｓ１９）。
【００４７】
ＵＳＢ回線による通電を遮断した後に、車載機器１００の通信部３０とスマートフォン１７の通信部３５との無線通信が開始されると、所定時間経過後に処理ユニット１９は、無線通信を介してスマートフォン１７から二次電池の電池残量情報を取得し、記憶部２６に格納する（Ｓ２０：電池残量情報取得手段）。
【００４８】
無線通信により取得した電池残量情報が記憶部２６に格納されると、次に処理ユニット１９は、記憶部２６に格納された電池残量情報に含まれる電圧値、電流値（充電電流値、放電電流値）基づいて電池残量の値を算出し、電池残量の値が予め定めた下限値以下であるか否かを比較判定する（Ｓ２１：電池残量判定手段）。電池残量の値が下限値より大きいと判定された場合には（Ｓ２１のＮＯ）、処理ユニット１９は無線通信を継続する（Ｓ２２）。そして、処理ユニット１９は、所定時間経過後に再度、無線通信によりスマートフォン１７から電池残量情報を取得して、記憶部２６に格納する（Ｓ２０）。このときの電池残量情報は、ＵＳＢ回線による通電が遮断されており、車載機器１００からの充電電力の供給は停止した状態となっている。このような場合としては、図３（ａ）のＴがＴ１〜Ｔ２、Ｔ３〜Ｔ４、図３ＢのＴが０〜Ｔ５、Ｔ６〜Ｔ７及びＴ８〜Ｔ９の範囲である場合が相当する。
【００４９】
無線通信により電池残量情報が取得され、記憶部２６に格納された後に、処理ユニット１９は記憶部２６に格納された電池残量情報から算出した電池残量の値と所定の下限値とを比較判定を繰り返し行う（Ｓ２１）。
【００５０】
電池残量の値が所定の下限値以下である場合には（例えば、図３ＡのＴ２、Ｔ４、図３ＢのＴ５、Ｔ７及びＴ９のときの電池残量）、処理ユニット１９は無線通信を遮断して、ＵＳＢ回線を通電の状態にして、ＵＳＢ回線によるスマートフォン１７との通信及び充電用電力の供給を開始する（Ｓ２３：有線回線通電制御手段）。ＵＳＢ回線が通電の状態となった後に、処理ユニット１９は、所定時間経過後にＵＳＢ回線を通じてスマートフォン１７から電池残量情報を取得し、記憶部２６に格納し（Ｓ１５：電池残量情報取得手段）、電池残量情報に含まれる電圧値、電流値（充電電流値、放電電流値）に基づいて、電池残量算出用プログラムを実行して電池残量の値を算出し、所定の上限値との比較判定を繰り返し行う（Ｓ１６：電池残量判定手段）。
【００５１】
比較判定の結果、電池残量の値が上限値以上のときは、上述したように、処理ユニット１９はＵＳＢ回線による通電を遮断して、スマートフォン１７との通信及び充電用電力の供給を停止すると共に、通信部３０によりスマートフォン１７との無線通信を開始する（Ｓ１９）。また、電池残量の値が上限値より小さいときは、処理ユニット１９はＵＳＢ回線による充電を行い（Ｓ１７）、所定の時間経過後に電池残量情報の取得と（Ｓ１５）、電池残量の値と所定の上限値との比較判定を繰り返す（Ｓ１６）。
【００５２】
このように、車載機器１００とスマートフォン１７とがＵＳＢケーブル１５で接続されている間は、車載機器１００による充電用電力の供給が制御されるので、二次電池の電池残量が満充電の状態とならず、二次電池の劣化、損傷が防止される。また、二次電池の電池残量は上限値と下限値との間になるように制御されるので、所定の充電量の範囲を維持することができる。
【産業上の利用可能性】
【００５３】
上記説明のように、本発明に係る情報処理装置は、携帯通信端末の二次電池の電池残量の値が所定の上限値以上となったときに、通信及び充電用の電力供給を行う有線回線との通電を遮断し、電力供給を停止するので、満充電による二次電池の劣化、損傷を防止することができるという効果を奏し、有線回線により接続された携帯通信端末の二次電池の電池残量を検出し、供給する充電用の電力を制御する情報処理装置として有用である。
【符号の説明】
【００５４】
１２  ＵＳＢ端子
１５  ＵＳＢケーブル
１７  スマートフォン（携帯通信端末）
１９  処理ユニット
２１  ＡＶユニット
２２  ナビゲーションユニット
２６  記憶部
２７  表示部
２８  操作部
３１  二次電池
２８  操作部
３０  ＵＳＢ通信部
３１  二次電池
１００  車載機器（情報処理装置）
【図１】
2015144519.tif 000003
【図２Ａ】
2015144519.tif 000004
【図２Ｂ】
2015144519.tif 000005
【図３Ａ】
2015144519.tif 000006
【図３Ｂ】
2015144519.tif 000007